(57)【要約】【課題】利用者にとって必要な部品を注視し易くする表示器及びそれを用いた表示システムを提供する。【解決手段】表示器Ａは、画像を表示する表示部１と、外部から入力される信号に応じて１乃至複数の部品を表示部１に表示させる制御部３とを備え、制御部３は、複数の部品のうち所定の条件を満たし且つ利用者にとって必要な部品１０ａ以外の不要な部品１１ａ〜１１ｃを表示部１から消去させる表示制限処理を行う。【選択図】図１
2012008653.tif 000002
【特許請求の範囲】
【請求項１】
画像を表示する表示部と、外部から入力される信号に応じて１乃至複数の部品を前記表示部に表示させる制御部とを備え、前記制御部は、前記複数の部品のうち所定の条件を満たし且つ利用者にとって必要な部品以外の不要な部品を前記表示部から消去させる表示制限処理を行うことを特徴とする表示器。
【請求項２】
前記制御部は、前記表示制限処理において前記不要な部品を時間の経過に伴って徐々に前記表示部から消去させることを特徴とする請求項１記載の表示器。
【請求項３】
画像を表示する表示部と、外部から入力される信号に応じて１乃至複数の部品を前記表示部に表示させる制御部とを備え、前記制御部は、前記複数の部品のうち所定の条件を満たし且つ利用者にとって必要な部品以外の不要な部品に対してモザイクを施した画像を前記表示部に表示させる表示制限処理を行うことを特徴とする表示器。
【請求項４】
画像を表示する表示部と、外部から入力される信号に応じて１乃至複数の部品を前記表示部に表示させる制御部とを備え、前記制御部は、前記複数の部品のうち所定の条件を満たし且つ利用者にとって必要な部品以外の不要な部品を白色及び黒色の２色のみで前記表示部に表示させる表示制限処理を行うことを特徴とする表示器。
【請求項５】
画像を表示する表示部と、外部から入力される信号に応じて１乃至複数の部品を前記表示部に表示させる制御部とを備え、前記制御部は、前記複数の部品のうち所定の条件を満たし且つ利用者にとって必要な部品を大きく前記表示部に表示させるとともに、前記必要な部品以外の不要な部品を前記必要な部品よりも小さく前記表示部に表示させる表示制限処理を行うことを特徴とする表示器。
【請求項６】
前記制御部は、前記表示制限処理において時間の経過に伴って前記不要な部品に対する前記必要な部品の相対的な大きさが徐々に大きくなるように前記表示部に表示させることを特徴とする請求項５記載の表示器。
【請求項７】
前記制御部は、前記表示制限処理において前記不要な部品を前記必要な部品からの距離が遠くなる程小さくなるように前記表示部に表示させることを特徴とする請求項５記載の表示器。
【請求項８】
前記制御部は、前記各部品に対応する外部からの信号が入力された時点からの時間を計時させるとともに、前記各部品のうち前記外部からの信号が入力された時点から所定時間が経過した部品を前記不要な部品として前記表示制限処理を行うことを特徴とする請求項５乃至７の何れか１項に記載の表示器。
【請求項９】
請求項１乃至８の何れか１項に記載の表示器と、負荷に接続されて前記負荷に係る各種計測値を計測する１乃至複数の前記外部機器である計測機器とを備えたことを特徴とする表示システム。
【請求項１０】
請求項１乃至８の何れか１項に記載の表示器と、１乃至複数の負荷から成る負荷系統に接続されて前記負荷系統を制御する１乃至複数の前記外部機器であるプログラマブルコントローラとを備えたことを特徴とする表示システム。
【発明の詳細な説明】
【技術分野】
【０００１】
本発明は、外部機器の設定画面や外部機器の状態を示す画面等を表示する表示器及びそれを用いた表示システムに関する。
【背景技術】
【０００２】
従来から、例えば工場の生産設備やエレベータ、又は自動ドア等を制御する制御装置としてＰＬＣ（Programmable Logic Controller）が広く知られている。このＰＬＣは、各種のセンサや機械的なスイッチ等の入力機器から信号を取り込み、取り込んだ入力信号と予め決められたプログラムとに従ってリレーやモータ等の出力機器を制御することができるようになっている。このＰＬＣには、出力機器の制御や利用者への報知等に係る情報のやり取りを利用者との間で行うためのＨＭＩ（Human Machine Interface）として、近年ではプログラマブル表示器が広く利用されている。
【０００３】
プログラマブル表示器は、工場の生産設備やエレベータ等の制御対象についての各種制御項目の設定値等の入力を受け付ける入力機能と、入力用の設定画面や前記制御対象の状態を示す画面を表示する出力機能とを併せ持つ。また、このようなプログラマブル表示器には、前記ＰＬＣが接続されるのみならず、例えばビルや工場等において電気設備などの電力監視を目的として多数分散配置された計測機器が接続される。そして、プログラマブル表示器では、これら計測機器についての各種計測項目の設定値等の入力を受け付ける入力機能、及び入力用の設定画面や当該計測機器の状態を示す画面を表示する出力機能を併せ持つ。
【０００４】
近年、このようなプログラマブル表示器には様々な機能が盛り込まれており、機能の種類は年々増加する傾向にある。機能の増加は利用者の多様な要望を叶えることができる反面、その操作を複雑なものとし、却って利用者にとって利便性を損ねる虞がある。そこで、利用者にとって利便性の高い、即ち、各種機能の操作を行い易い設定画面を利用者がカスタマイズすることのできる表示器が知られており、例えば特許文献１に開示されている。この特許文献１に記載の表示器では、画面に表示させる例えばスイッチ、テンキー、メータ表示器といった部品の各種設定を可能とする画像の表示を利用者がタッチパネル上で変更することのできるカスタマイズモードを有している。而して、利用者が操作したいと考える画像のみを表示させたり、画像の表示を大きくしたり等、利用者にとって最適な設定画面をカスタマイズすることができるようになっている。
【先行技術文献】
【特許文献】
【０００５】
【特許文献１】特開２００７−２２６５２１号公報
【発明の概要】
【発明が解決しようとする課題】
【０００６】
しかしながら、上記従来例では、スイッチ等の利用者が操作しようとする部品や、計測値等の利用者が注目しようとする部品、即ち、利用者にとって必要な部品の他に、利用者にとって不要な部品も必要な部品と同等の存在感を持って表示される。このため、たとえ利用者にとって最適な設定画面をカスタマイズしたとしても、不要な部品も利用者の視界に入ることで邪魔となり、利用者にとって必要な部品のみを注視し難くなるという問題があった。
【０００７】
本発明は、上記の点に鑑みて為されたもので、利用者にとって必要な部品を注視し易くする表示器及びそれを用いた表示システムを提供することを目的とする。
【課題を解決するための手段】
【０００８】
本発明の表示器は、画像を表示する表示部と、外部から入力される信号に応じて１乃至複数の部品を前記表示部に表示させる制御部とを備え、前記制御部は、前記複数の部品のうち所定の条件を満たし且つ利用者にとって必要な部品以外の不要な部品を前記表示部から消去させる表示制限処理を行うことを特徴とする。
【０００９】
この表示器において、前記制御部は、前記表示制限処理において前記不要な部品を時間の経過に伴って徐々に前記表示部から消去させることが好ましい。
【００１０】
本発明の表示器は、画像を表示する表示部と、外部から入力される信号に応じて１乃至複数の部品を前記表示部に表示させる制御部とを備え、前記制御部は、前記複数の部品のうち所定の条件を満たし且つ利用者にとって必要な部品以外の不要な部品に対してモザイクを施した画像を前記表示部に表示させる表示制限処理を行うことを特徴とする。
【００１１】
本発明の表示器は、画像を表示する表示部と、外部から入力される信号に応じて１乃至複数の部品を前記表示部に表示させる制御部とを備え、前記制御部は、前記複数の部品のうち所定の条件を満たし且つ利用者にとって必要な部品以外の不要な部品を白色及び黒色の２色のみで前記表示部に表示させる表示制限処理を行うことを特徴とする。
【００１２】
本発明の表示器は、画像を表示する表示部と、外部から入力される信号に応じて１乃至複数の部品を前記表示部に表示させる制御部とを備え、前記制御部は、前記複数の部品のうち所定の条件を満たし且つ利用者にとって必要な部品を大きく前記表示部に表示させるとともに、前記必要な部品以外の不要な部品を前記必要な部品よりも小さく前記表示部に表示させる表示制限処理を行うことを特徴とする。
【００１３】
この表示器において、前記制御部は、前記表示制限処理において時間の経過に伴って前記不要な部品に対する前記必要な部品の相対的な大きさが徐々に大きくなるように前記表示部に表示させることが好ましい。
【００１４】
この表示器において、前記制御部は、前記表示制限処理において前記不要な部品を前記必要な部品からの距離が遠くなる程小さくなるように前記表示部に表示させることが好ましい。
【００１５】
この表示器において、前記制御部は、前記各部品に対応する外部からの信号が入力された時点からの時間を計時させるとともに、前記各部品のうち前記外部からの信号が入力された時点から所定時間が経過した部品を前記不要な部品として前記表示制限処理を行うことが好ましい。
【００１６】
本発明の表示システムは、上記何れかの表示器と、負荷に接続されて前記負荷に係る各種計測値を計測する１乃至複数の前記外部機器である計測機器とを備えたことを特徴とする。
【００１７】
本発明の表示システムは、上記何れかの表示器と、１乃至複数の負荷から成る負荷系統に接続されて前記負荷系統を制御する１乃至複数の前記外部機器であるプログラマブルコントローラとを備えたことを特徴とする。
【発明の効果】
【００１８】
本発明は、利用者にとって不要な部品の存在感を利用者にとって必要な部品の存在感よりも小さくすることができる。したがって、利用者が操作しようとする、若しくは利用者が注目しようとする必要な部品の存在感を相対的に大きくすることで注視し易くすることができ、利用者が必要な部品をより早く発見することができるので、利便性を向上させることができる。
【図面の簡単な説明】
【００１９】
【図１】本発明に係る表示システムの実施形態を示す図で、（ａ）は不要な部品が消去される前の表示部の画像を示す図で、（ｂ）は不要な部品が消去された後の表示部の画像を示す図である。
【図２】同上の表示器のブロック図である。
【図３】同上の表示器の表示制限処理の説明図で、（ａ）は不要な部品に対してモザイクを施した表示部の画像を示す図で、（ｂ）は不要な部品を白黒２色のみで表示される表示部の画像を示す図である。
【図４】同上の表示器の表示制限処理の説明図で、（ａ）は必要な部品が大きく表示されるとともに、不要な部品が小さく表示される表示部の画像を示す図で、（ｂ）は不要な部品が必要な部品との間の距離に応じて小さく表示される表示部の画像を示す図である。
【図５】同上の表示器の表示制限処理の説明図で、（ａ）は所定時間が経過する前の表示部の画像を示す図で、（ｂ）は所定時間が経過した後の表示部の画像を示す図である。
【発明を実施するための形態】
【００２０】
以下、本発明に係る表示器及びそれを用いた表示システムの実施形態について図面を用いて説明する。先ず、本発明に係る表示器Ａの実施形態について図面を用いて説明する。表示器Ａは、図２に示すように、表示部１と、操作入力部であるタッチパネル部２と、制御部３と、通信部４と、計時部５と、記憶部６とを備える。また、表示器Ａには、通信部４を介して外部機器Ｂが接続される。尚、本実施形態では、例えばビルや工場等の電力設備の負荷に接続されて当該負荷に係る各種計測値を計測する計測機器を外部機器Ｂに相当するものとして説明する。
【００２１】
表示部１は、例えばブラウン管ディスプレイや液晶ディスプレイ、プラズマディスプレイ、有機ＥＬディスプレイ等から成る。表示部１には、外部から入力される信号に応じた各部品が制御部３の処理によって表示される。ここで、「外部から入力される信号」とは、例えば外部機器Ｂから表示器Ａに対して出力される後述の無線信号や、タッチパネル部２から制御部３に対して出力される後述の操作信号である。また、「部品」とは、ウィンドウ等の外部機器Ｂで計測された計測値を示すための画像や、ランプ等の表示器Ａ及び外部機器Ｂの動作状態を示すための画像や、スイッチ等の表示器Ａ及び外部機器Ｂを操作するための画像などである。
【００２２】
タッチパネル部２は、表示部１に表示される表示器Ａ及び外部機器Ｂを操作するための画像に対する操作入力を行うためのものであり、ガラス板及び感圧材及び偏光材等を貼り合わせて成るタッチパネルを表示部１の表示面に設置して成る。タッチパネル部２は、タッチパネル上の任意の領域に対して押圧操作が行われると、その操作を示す操作信号を制御部３に送信する。
【００２３】
制御部３は、例えばマイコン（マイクロコンピュータ）等から成り、メモリに格納された種々のプログラムをＣＰＵで実行することによって各種の機能を実現する。制御部３は、タッチパネル部２からの操作信号に応じたコマンドを生成し、当該コマンドを含む無線信号を外部機器Ｂに送信する処理を行う。外部機器Ｂでは、無線信号を受信すると、当該無線信号に含まれるコマンドに応じた処理を行うようになっている。
【００２４】
例えば、外部機器Ｂで計測する計測値の種類を切り換えるためのスイッチ等の部品が表示部１に表示されているとする。ここで、利用者が当該部品に該当する領域をタッチパネル部２において押圧操作すると、制御部３では外部機器Ｂで計測する計測値の種類の変更を指令するコマンドを生成し、当該コマンドを含む無線信号を外部機器Ｂに送信する。外部機器Ｂでは、当該無線信号を受信すると、当該無線信号に含まれるコマンドに応じて計測する計測値の種類を変更する。このように、外部機器Ｂの操作の用に供される部品を表示器Ａの表示部１に表示させることで、外部機器Ｂを遠隔操作することができる。勿論、表示器Ａの操作の用に供される部品を表示部１に表示させれば、表示器Ａ自身を操作することも可能である。尚、数値入力を行う場合には、タッチパネル部２において数値入力したい部品を押圧操作することで仮想テンキーパッドを表示部１に表示させ、当該仮想テンキーパッドを押圧操作することで数値入力を行えばよい。
【００２５】
また、制御部３は、外部機器Ｂから表示器Ａに対して出力される無線信号に含まれるデータに応じた部品を表示部１に表示させる処理や、タッチパネル部２からの操作信号に応じた部品を表示部１に表示させる処理も行う。前者の処理は、例えば外部機器Ｂから逐次送信される電圧値等の計測値のデータをウィンドウ等の部品に埋め込んで表示部１に表示させる処理である。後者の処理は、例えばタッチパネル部２での入力によって変更された設定や、タッチパネル部２で入力された数値をウィンドウ等の部品に埋め込んで表示部１に表示させる処理である。更に、制御部３は、後述する表示制限処理を行う。
【００２６】
通信部４は、外部機器Ｂとの間で信号の送受信を行うためのインタフェースであり、アンテナ（図示せず）より無線信号を送信する送信回路部（図示せず）及びアンテナより無線信号を受信する受信回路部（図示せず）を具備する。尚、この種の通信部４は従来周知であるので、ここでは詳細な説明を省略する。
【００２７】
計時部５は、例えば制御部３を構成するマイコン内蔵のタイマから成る。計時部５は、表示部１に表示されている部品毎に計時を行うもので、例えばタッチパネル部２において最後に操作入力があった時点からの所定時間を計時する。
【００２８】
記憶部６は、例えば書換え可能な不揮発性メモリ（一例としてはフラッシュメモリ）より成る。ここで、本実施形態では、表示器Ａ及び表示器Ａに接続される種々の外部機器Ｂそれぞれに固有のアドレスが設定され、当該アドレスによって無線信号の送信先及び送信元の機器を特定可能としている。したがって、記憶部６には、表示器Ａ及び各外部機器Ｂのアドレスが記憶される。また、記憶部６には、表示器Ａに接続可能であって且つ表示器Ａに接続されると想定される各外部機器Ｂに関する各部品のデータや、表示器Ａ自身に関する各部品のデータが記憶される。而して、制御部３は、外部機器Ｂから表示器Ａに対して出力される無線信号等に応じて記憶部６から各部品のデータを読み出して表示部１に表示させるようになっている。
【００２９】
以下、本実施形態における表示制限処理の動作について図面を用いて説明する。尚、以下の説明では、表示器Ａに既に外部機器Ｂが接続されているものとする。先ず、図１（ａ）に示すように、表示器Ａの表示部１には、利用者にとって必要な部品１０ａと、不要な部品１１ａ〜１１ｃが表示されているものとする。
【００３０】
尚、「必要な部品」とは、例えば利用者が操作しようとするスイッチや、利用者が確認したい計測値を示すウィンドウ等の利用者が注目しようとする部品であり、所定の条件を満たしたものである。「所定の条件」とは、例えば外部機器Ｂから逐次計測値のデータが送信されている事や、利用者が現に操作している事などが挙げられる。また、「不要な部品」とは、例えば利用者が操作する予定の無いスイッチや、利用者が確認する予定の無い計測値を示すウィンドウ等の利用者が注目することのない部品である。
【００３１】
ここで、必要な部品１０ａがウィンドウであって、当該必要な部品１０ａに表示されている計測値等の値が外部機器Ｂからの無線信号に応じて変化したとする。又は、必要な部品１０ａがスイッチであって、当該必要な部品１０ａがタッチパネル部２を介して利用者に操作されたとする。この時、制御部３は、図１（ｂ）に示すように、不要な部品１１ａ〜１１ｃを表示部１から消去させる。而して、利用者が注目したい必要な部品１０ａのみが表示部１に表示されるため、利用者にとって必要な部品１０ａを注視し易くすることができる。尚、不要な部品１１ａ〜１１ｃを表示部１から消去させる方法としては、瞬間的に消去させる方法であってもよいし、時間の経過に伴って徐々に消去させる方法であってもよい。後者の方法の場合には、制御部３は、必要な部品１０ａに変化があった時点から計時部５による計時を不要な部品１１ａ〜１１ｃ毎に開始させ、その経過時間に伴って各不要な部品１１ａ〜１１ｃを表示部１から徐々に消去させればよい。
【００３２】
上述のように、制御部３に表示制限処理を行わせることで、不要な部品１１ａ〜１１ｃの存在感を必要な部品１０ａの存在感よりも小さくすることができる。したがって、利用者が操作しようとする、若しくは利用者が注目しようとする必要な部品１０ａの存在感を相対的に大きくすることで注視し易くすることができ、利用者が必要な部品１０ａをより早く発見することができるので、利便性を向上させることができる。
【００３３】
また、表示制限処理としては、図３（ａ）に示すように、制御部３が不要な部品１１ａ〜１１ｃに対してモザイク処理を行い、当該モザイクを施した画像を表示部１に表示させる処理であってもよい。更に、図３（ｂ）に示すように、制御部３が不要な部品１１ａ〜１１ｃを白色及び黒色の２色のみで表示部１に表示させる処理であってもよい。このような表示制限処理であっても、上記と同様の効果を奏することができる。
【００３４】
更に、表示制限処理としては、図４（ａ）に示すように、制御部３が必要な部品１０ａを大きく表示部１に表示させるとともに、不要な部品１１ａ〜１１ｃを必要な部品１０ａよりも小さく表示部１に表示させる処理であってもよい。この時、上記と同様に、必要な部品１０ａに変化があった時点から計時部５による計時を不要な部品１１ａ〜１１ｃ毎に開始させる処理を制御部３に行わせてもよい。そして、経過時間に伴って不要な部品１１ａ〜１１ｃに対する必要な部品１０ａの相対的な大きさが徐々に大きくなるように表示部１に表示させる処理を制御部３に行わせてもよい。このような表示制限処理であっても、上記と同様の効果を奏することができる。
【００３５】
また、図４（ｂ）に示すように、不要な部品１１ａ〜１１ｃを必要な部品１０ａからの距離が遠くなる程小さくなるように表示部１に表示させる処理を制御部３に行わせるようにしてもよい。即ち、必要な部品１０ａの表示部１における座標と、各不要な部品１１ａ〜１１ｃの表示部１における座標とから各部品間の距離を演算する処理を制御部３に行わせる。そして、演算した距離の長さに反比例するように各不要な部品１１ａ〜１１ｃを表示部１に小さく表示させる処理を制御部３に行わせる。このような表示制限処理であっても、上記と同様の効果を奏することができる。
【００３６】
ところで、上記の各表示制限処理では、表示部１に表示される各部品を予め必要な部品と不要な部品とに区別した状態で処理を行っているが、区別していない状態で表示制限処理を行うようにしてもよい。以下、このような表示制限処理について図面を用いて説明する。先ず、図５（ａ）に示すように、必要な部品と不要な部品とに区別されていない部品１２ａ〜１２ｄが表示部１に表示されているものとする。そして、部品１２ａ〜１２ｄ毎に外部からの信号が入力された時点から計時部５による計時を開始させる処理を制御部３に行わせる。ここで、計時部５による計時の途中で、何れかの部品１２ａ〜１２ｄに対して外部から信号が入力された場合には、制御部３は、当該部品１２ａ〜１２ｄに対する計時をリセットし、改めて計時を開始させる。そして、何れかの部品１２ａ〜１２ｄにおいて所定時間が計時されると、制御部３は、当該部品１２ａ〜１２ｄを不要な部品と見做して上述の何れかの表示制限処理を行う。
【００３７】
具体例として、不要な部品を小さく表示する表示制限処理の場合について説明する。図５（ａ）に示す部品１２ｃ，１２ｄにおいて、外部からの信号が入力されずにそれぞれ所定時間が計時されたとする。この場合、制御部３は、図５（ｂ）に示すように、これら部品１２ｃ，１２ｄの表示を小さくする処理を行う。このような表示制限処理であっても、上記と同様の効果を奏することができる。
【００３８】
尚、上記の何れかの表示制限処理によって表示が制限された不要な部品は、例えば一定時間が経過する、表示器Ａの電源をリセットする、表示器Ａに設けられた復帰用スイッチ（図示せず）を操作する等の手段によって元の表示に復帰させてもよい。
【００３９】
また、本実施形態では、操作入力部として表示部１の表示面にタッチパネル部２を設ける構成となっているが、当該構成に限定される必要は無い。例えば、表示器Ａに付属するマウスやキーボードといった入力装置を操作入力部として用い、表示部１に表示される画像を見ながらマウスやキーボードを操作して各種設定や数値入力を行うように構成してもよい。更に、本実施形態では、表示器Ａにおいて外部機器Ｂを遠隔操作できるように操作入力部を設けているが、操作入力部を設けない構成であってもよい。即ち、表示器Ａが、単に外部機器Ｂの状態を示す各部品を表示部１に表示させるだけの構成であってもよい。
【００４０】
また、本実施形態では、表示器Ａと各外部機器Ｂとの間で無線通信を行っているが、通信形式は無線通信に限定される必要は無い。例えば、ＲＳ−２３２Ｃ規格に準拠したポートやＵＳＢ規格に準拠したポートを表示器Ａ及び各外部機器Ｂに設け、各ポートにシリアルケーブル等の通信ケーブルを接続することで表示器Ａと各外部機器Ｂとの間で有線通信を行ってもよい。
【００４１】
また、本実施形態では、表示器Ａに外部機器Ｂとして計測機器のみを接続した構成を開示しているが、１乃至複数の負荷から成る負荷系統に接続されて負荷系統を制御するＰＬＣも併せて接続してもよいことは言うまでもない。ＰＬＣを表示器Ａに接続する場合にも、制御部３に上述の何れかの表示制限処理を行わせることで、上記と同様の効果を奏することができる。
【符号の説明】
【００４２】
１  表示部
１０ａ  必要な部品
１１ａ〜１１ｃ  不要な部品
Ａ  表示器
【図１】
2012008653.tif 000003
【図２】
2012008653.tif 000004
【図３】
2012008653.tif 000005
【図４】
2012008653.tif 000006
【図５】
2012008653.tif 000007